(57)【要約】      （修正有）【課題】長ねぎの茎部の軟白化を長ねぎの生長に合わせて簡単にコントロールでき、かつ遮光材の内側の長ねぎのムレや高温化を抑制し、風による影響を受けにくい軟白ねぎの長ねぎの育成構造及び長ねぎの育成構造の設置方法を提供する。【解決手段】横列方向Ｘに１〜３本の長ねぎが横列し縦列方向Ｙに複数本の長ねぎが縦列した長ねぎの定植範囲の複数の頂点に立設された端杭２と、端杭２の外側を通り定植範囲を取り囲むようにある不織布１と、当該不織布１を端杭２に固定するための固定具５とからなり、当該不織布１は長ねぎの定植範囲及び端杭２に沿うように立設された立設部１Ａと、地面表面を這うように展設された水平部１Ｂからなり、さらに当該水平部１Ｂの一端を貫き、立設部１Ａと長ねぎをまたぎ、当該水平部１Ｂの他端をつらぬくＵ字形状をなすＵ字杭３とからなることを特徴とする。【選択図】図７
2020137450.tif 000002
【特許請求の範囲】
【請求項１】
横列方向Ｘに１〜３本の長ねぎ６が横列し縦列方向Ｙに複数本の長ねぎ６が縦列した長ねぎ６の定植範囲の複数の頂点に立設された端杭２と、
端杭２の外側を通り定植範囲を取り囲むようにある不織布１と、
当該不織布１を端杭２に固定するための固定具５とからなり、
当該不織布１は長ねぎ６の定植範囲及び端杭２に沿うように立設された立設部１Ａと、地面表面を這うように展設された水平部１Ｂからなり、
さらに当該水平部１Ｂの一端を貫き、立設部１Ａと長ねぎ６をまたぎ、当該水平部１Ｂの他端をつらぬくＵ字形状をなすＵ字杭３とからなる、
ことを特徴とする長ねぎの育成構造。
【請求項２】
前記不織布１の立設部１Ａが、長ねぎ６の生長高さにあわせて調整可能な折りたたみ部１Ｃを有し、
当該折りたたみ部１Ｃは、前記不織布１の水平部１Ｂが鉛直方向に向きを変えて上方向（長ねぎの立つ方向）の立設部１Ａを形成する際、立設部１Ａを形成する上方向に向かう不織布が一旦Ｕターンして下方向に向かいさらにＵターンして上方向に向かうといった断面形状でヘアピンカーブ構造のように形成されている、
ことを特徴とする請求項１記載の長ねぎの育成構造。
【請求項３】
前記不織布１の水平部１Ｂに複数本の補助杭４を有することを特徴とする請求項１または請求項２のいずれかに記載の長ねぎの育成構造。
【請求項４】
横列方向Ｘに長ねぎ６が１〜３本横列し縦列方向Ｙに長ねぎ６が複数本縦列した長ねぎ定植範囲の外縁部に、複数本の端杭２を打ち込んで立設する工程と、
不織布１を前記端杭２に固定具５で固定しながら、
不織布１を端杭２の外側を通り長ねぎ６の定植範囲を取り囲むように、かつ当該不織布１の定植範囲外縁部の長ねぎ６及び端杭２に沿うように立設された立設部１Ａと、地面を這うように展設された水平部１Ｂを作成しながら不織布１を設置する工程と、
当該不織布１の水平部１Ｂの一端を貫き、立設部１Ａと長ねぎ６をまたぎ、当該水平部１Ｂの他端をつらぬくＵ字形状をなす複数本のＵ字杭３を設置する工程とからなる、
長ねぎの育成構造の設置方法。
【請求項５】
前記不織布１の立設部１Ａが、長ねぎ６の成長高さにあわせて調整可能な折りたたみ部１Ｃを作成する工程を含み、
当該工程が、立設部１Ａを形成する上方向に向かう不織布を一旦Ｕターンさせて下方向に向かわせさらにＵターンして上方向に向かわせるといった断面形状でヘアピンカーブ構造のように形成する工程であることを特徴とする請求項４記載の長ねぎの育成構造の設置方法。
【請求項６】
前記不織布１の水平部１Ｂに複数本の補助杭４を打ち込む工程を含む請求項４または請求項５のいずれかに記載の長ねぎの育成構造の設置方法。
【請求項７】
請求項１から３記載の長ねぎの育成構造を構成する不織布であって、ＪＩＳ  Ｌ  １０５５  Ａ法  １００００ルクスで測定した際の遮光率で９０％以上であることを特徴とする不織布。
【請求項８】
請求項４から６記載の長ねぎの育成構造の設置方法で用いられる不織布であって、ＪＩＳ  Ｌ  １０５５  Ａ法  １００００ルクスで測定した際の遮光率で９０％以上であることを特徴とする不織布。
【発明の詳細な説明】
【技術分野】
【０００１】
本発明は、白くて柔らかな部分が多い軟白ねぎと称する長ねぎの軟白化に関するものであり、具体的には長ねぎの軟白化に用いる部材とその使用方法に関する。
【背景技術】
【０００２】
軟白ねぎは一般に緑色の葉と白色の茎とを有しているが、茎は成育中には光を必要とし緑色を呈しているが、成育後に光を遮断して、茎を白くさせる。従来の白ねぎの栽培方法は、土盛りにより地中で白い茎部を栽培する方法が行われている。この土盛りによる方法は、定植時に深さと幅がともに１５０〜２００ｍｍの溝を８００〜９００ｍｍの間隔で掘り、定植後には、白ねぎの成育に合わせて、前記溝の白ねぎの周囲に３〜４回畝の土を戻す土戻し作業を行ない、さらに白ねぎの葉鞘部の伸長に合わせて数回土を白ねぎの周囲に寄せる土寄せ作業を行なう。ついで白部分が長くなるとともに、白く色抜けするまで待って収穫する。なお最終土寄せ作業から収穫までの日数は、１０〜２０日位である。
【０００３】
しかし、前記の土盛りよる方法は、土寄せの必要から定植用溝の間隔を広く取る必要があったり、土戻し、土寄せに多大の労力を要するなど、手間が多く作業性が悪かった。
【０００４】
このような事情を鑑み、例えば特許文献１では、遮光材を用いて、遮光白化されるべき部分に達する光を遮光する方法を採用し、軟白ねぎの苗を定植したのち、茎部直径および軟白ねぎの根の上端部近傍から幼芽又は葉鞘部までの長さがほぼ所定の範囲内の値になるまで成育させ、ついで軟白ねぎの列の両側に前記遮光材を向き合わせて立設することを特徴とする遮光材を用いる方法を開示している。
【０００５】
特許文献１の方法は、軟白ねぎの列の両側に遮光材を立設しねぎの茎部への日光を遮り長ねぎの軟白化を実現する方法であるが、立設する遮光材の高さを自由に変更することができないため、長ねぎが十分育っていない時期に於いては日光の必要な葉部に十分な日光が届かない。また、梅雨時の遮光材内のムレや夏期日照時の遮光材内の高温抑制のために、通気穴を設けなければならなかった。さらに設置に際して遮光材の立設および固定に手間がかかるため、あまり普及していない。
【０００６】
また特許文献２では、遮光フィルムを用いて長ねぎの茎部の日光を遮り、軟白化を実現する方法を採用している。特許文献２の方法では、長ねぎの成長に合わせてある程度遮光範囲を動かすことが可能であるが、フィルム製であるために露地栽培で用いると風などのバタつきの影響を受けやすく、また通気性がないため梅雨時の遮光材内のムレや夏期日照時の遮光材内の高温化を抑制することができなかった。また、遮光範囲を変えるためにはテープの位置を移動させたりなどの手間を要した。
【０００７】
【特許文献１】特開平９−１２１６７２公報
【特許文献２】特開平６−２２６４２号公報
【発明の概要】
【発明が解決しようとする課題】
【０００８】
本発明の目的は、長ねぎの茎部の軟白化を長ねぎの生長に合わせて簡単にコントロールでき、かつ遮光材の内側の長ねぎのムレや高温化を抑制し、風による影響を受けにくい軟白ねぎの長ねぎの育成構造及び長ねぎの育成構造の設置方法を提供することである。
【課題を解決するための手段】
【０００９】
本発明者は、長ねぎを栽培する際に定植範囲の外側に杭（端杭）を設置して、杭（端杭）と定植範囲を不織布が囲むように、かつ当該不織布の上方部分が長ねぎの茎部を囲み下方部分が定植範囲の周辺部の地面を覆うよう不織布を設置し、地面を覆う不織布を貫き立設する長ねぎと不織布をＵ字杭でクリップ止めのように挟み込むように設置することで、軟白な長ねぎを簡単に栽培できることを見いだした。
【００１０】
請求項１記載の発明は、
横列方向Ｘに１〜３本の長ねぎ６が横列し縦列方向Ｙに複数本の長ねぎ６が縦列した長ねぎ６の定植範囲の複数の頂点に立設された端杭２と、
端杭２の外側を通り定植範囲を取り囲むようにある不織布１と、
当該不織布１を端杭２に固定するための固定具５とからなり、
当該不織布１は長ねぎ６の定植範囲及び端杭２に沿うように立設された立設部１Ａと、地面表面を這うように展設された水平部１Ｂからなり、
さらに当該水平部１Ｂの一端を貫き、立設部１Ａと長ねぎ６をまたぎ、当該水平部１Ｂの他端をつらぬくＵ字形状をなすＵ字杭３とからなる、
ことを特徴とする長ねぎの育成構造である。
【００１１】
すなわち本発明の長ねぎの育成構造は、長ねぎの定植範囲の頂点に端杭２が設置され、端杭２の外側を通って前記定植範囲を不織布１で取り囲み、端杭２と不織布１は固定具５で固定される構造をしている。不織布１は、長ねぎ６の定植範囲と端杭２に沿うように立設された立設部１Ａと、地面表面を這うように展設された水平部１Ｂとからなり、不織布１は地面から直立している立設部１Ａと地面に水平な水平部１Ｂの境目はほぼ直角に折れ曲がっている。また、複数の端杭２の間隔が広い縦列方向Ｙには端杭２の間を埋めるように複数のＵ字杭３が一定間隔で設置されている。Ｕ字杭３は棒をＵ字に折り曲げたような構造をしており、Ｕ字構造の２つの端部が不織布の水平部を貫いて地面に打ち込まれ、Ｕ字構造の曲線部分は上方から見て不織布〜長ねぎ〜不織布といったサンドイッチ構造になっている。すなわち、端杭２の部分において不織布１は端杭２の外側（定植範囲とは反対側）を通り、Ｕ字杭３の部分において不織布はＵ字杭３の内側（定植範囲側）を通っている。
【００１２】
本発明の長ねぎの育成構造は、不織布を用いることが特徴点のひとつである。すなわち不織布は、遮光性があるのはもちろんのこと、通気性や通水性がある。すなわち、長ねぎの茎部を軟白にするための十分な遮光性を有しながら、遮光範囲に熱が籠もらない程度の通気性を有し、湿気が籠もらず風を通す程度の通気性を有する。遮光しながら通気性や通水性を有する不織布のような効果は、従来の遮光材やフィルムにはない効果である。また通水性を有するため、殺菌剤などを噴霧する際に邪魔にならない。また従来の遮光材やフィルムでは収穫時に撤去する必要があったが、本発明の方法では撤去せずにそのまま手で長ねぎを引き抜いて収穫ができる。不織布には防草効果があるため、地面を被覆する不織布の水平部１Ｂの範囲には雑草が生えず、除草の手間が省ける。
【００１３】
請求項２記載の発明は、
前記不織布１の立設部１Ａが、長ねぎ６の生長高さにあわせて調整可能な折りたたみ部１Ｃを有し、
当該折りたたみ部１Ｃは、前記不織布１の水平部１Ｂが鉛直方向に向きを変えて上方向（長ねぎの立つ方向）の立設部１Ａを形成する際、立設部１Ａを形成する上方向に向かう不織布が一旦Ｕターンして下方向に向かいさらにＵターンして上方向に向かうといった断面形状でヘアピンカーブ構造のように形成されている、
ことを特徴とする請求項１記載の長ねぎの育成構造である。
【００１４】
すなわち本発明の長ねぎの育成構造は、不織布１の立設部１Ａに長ねぎ６の生長高さにあわせて調整可能な折りたたみ部１Ｃを有するが、当該折りたたみ部１Ｃは立設部１Ａを構成する不織布１が一旦Ｕターンして下方向に向かいさらにＵターンして上方向に向かうといった断面形状でヘアピンカーブのような構造をしている。具体的には、当該折りたたみ部１Ｃはちょうどズボンの裾上げのように不織布がＳ字に折れ曲がった構造をしており、折りたたみ部１Ｃの長さを調整して立設部１Ｂの高さを調節することができる。立設部１Ｂの高さを調節できると、長ねぎの生長の程度にあわせて遮光部分の面積を簡単に調節できる。
【００１５】
請求項３記載の発明は、
前記不織布１の水平部１Ｂに複数本の補助杭４を有することを特徴とする請求項１または請求項２のいずれかに記載の長ねぎの育成構造である。
【００１６】
すなわち本発明の長ねぎの育成構造は、不織布１の水平部１Ｂに複数本の補助杭４を設置することで、風などによる不織布のめくれ上がりを防止することができる。
【００１７】
請求項４記載の発明は、
横列方向Ｘに長ねぎ６が１〜３本横列し縦列方向Ｙに長ねぎ６が複数本縦列した長ねぎ定植範囲の外縁部に、複数本の端杭２を打ち込んで立設する工程と、
不織布１を前記端杭２に固定具５で固定しながら、
不織布１を端杭２の外側を通り長ねぎ６の定植範囲を取り囲むように、かつ当該不織布１の定植範囲外縁部の長ねぎ６及び端杭２に沿うように立設された立設部１Ａと、地面を這うように展設された水平部１Ｂを作成しながら不織布１を設置する工程と、
当該不織布１の水平部１Ｂの一端を貫き、立設部１Ａと長ねぎ６をまたぎ、当該水平部１Ｂの他端をつらぬくＵ字形状をなす複数本のＵ字杭３を設置する工程とからなる、
長ねぎの育成構造の設置方法である。
【００１８】
請求項５記載の発明は、
前記不織布１の立設部１Ａが、長ねぎ６の成長高さにあわせて調整可能な折りたたみ部１Ｃを作成する工程を含み、
当該工程が、立設部１Ａを形成する上方向に向かう不織布を一旦Ｕターンさせて下方向に向かわせさらにＵターンして上方向に向かわせるといった断面形状でヘアピンカーブ構造のように形成する工程であることを特徴とする請求項４記載の長ねぎの育成構造の設置方法である。
【００１９】
請求項６記載の発明は、
前記不織布１の水平部１Ｂに複数本の補助杭４を打ち込む工程を含む請求項４または請求項５のいずれかに記載の長ねぎの育成構造の設置方法である。
【００２０】
請求項７記載の発明は、
請求項１から３記載の長ねぎの育成構造を構成する不織布であって、ＪＩＳ  Ｌ  １０５５  Ａ法  １００００ルクスで測定した際の遮光率で９０％以上であることを特徴とする不織布である。
【００２１】
請求項８記載の発明は、
請求項４から６記載の長ねぎの育成構造の設置方法で用いられる不織布であって、ＪＩＳ  Ｌ  １０５５  Ａ法  １００００ルクスで測定した際の遮光率で９０％以上であることを特徴とする不織布である。
【００２２】
本発明に用いる不織布は、軟白な長ねぎを育成するために必要な遮光性能を有する不織布であり、その遮光性能はＪＩＳ規格の試験法のＪＩＳ  Ｌ  １０５５  Ａ法  の１００００ルクスの条件で測定した際の遮光率が９０％以上あると好適である。
【発明の効果】
【００２３】
本発明により長ねぎの茎部の軟白化を長ねぎの成長に合わせてコントロールでき、かつ遮光材の内側の長ねぎのムレや高温化を抑制し、風による影響を受けにくい軟白ねぎの育成構造及び育成構造の設置方法を提供することができる。
【図面の簡単な説明】
【００２４】
【図１】本発明に用いる部材の斜視図である。
【図２】定植した長ねぎ畑の斜視図である。
【図３】定植した長ねぎ畑に端杭を設置する際の斜視図である。
【図４】定植した長ねぎ畑に不織布と固定具を設置する際の斜視図である。
【図５】定植した長ねぎ畑に不織布と固定具を設置した後の斜視図である。
【図６】定植した長ねぎ畑にＵ字杭と補助杭を設置する際の斜視図である。
【図７】本発明の長ねぎの育成構造の完成形を示した斜視図である。
【図８】本発明の長ねぎの育成構造の折りたたみ部の機能を示した断面図である。
【図９】本発明の長ねぎの育成構造の無孔補助杭を利用した際の断面図である。
【発明を実施するための形態】
【００２５】
以下、本発明の実施形態について、図面を用いて説明する。なお、すべての図面において、同様の構成要素には同一の符号を付し、適宜に説明を省略する。また、本実施形態は、本発明を実施するための一形態に過ぎず、本発明は本実施形態によって限定されるものではなく、本発明の要旨を逸脱しない範囲で種々の変更実施の形態が可能である。
【００２６】
〔実施形態〕
本発明は、長ねぎを栽培する際に定植範囲の外側に杭（端杭）を設置して、杭（端杭）と定植範囲を不織布が囲むようにかつ当該不織布の上方部分が長ねぎの茎部を囲み下方部分が定植範囲の周辺部の地面を覆うよう不織布を設置し、地面を覆う不織布を貫き立設する長ねぎと不織布をＵ字杭でクリップ止めのように挟み込むように設置することで、軟白な長ねぎを簡単に栽培できることを発明の要旨としているが、このような事例はこれまで知られていない。
【００２７】
すなわち本発明は、
横列方向Ｘに１〜３本の長ねぎ６が横列し縦列方向Ｙに複数本の長ねぎ６が縦列した長ねぎ６の定植範囲の複数の頂点に立設された端杭２と、
端杭２の外側を通り定植範囲を取り囲むようにある不織布１と、
当該不織布１を端杭２に固定するための固定具５とからなり、
当該不織布１は長ねぎ６の定植範囲及び端杭２に沿うように立設された立設部１Ａと、地面表面を這うように展設された水平部１Ｂからなり、
さらに当該水平部１Ｂの一端を貫き、立設部１Ａと長ねぎ６をまたぎ、当該水平部１Ｂの他端をつらぬくＵ字形状をなすＵ字杭３とからなる、
ことを特徴とする長ねぎの育成構造である。
【００２８】
図１は、本発明に用いる部材の斜視図である。図７は、本発明の長ねぎの育成構造の完成形を示した斜視図である。図１及び図７を用いて、各部材の性質と使用方法について説明する。本発明には、主に不織布１、端杭２、Ｕ字杭３、補助杭４、固定具５の５種類の部材が用いられる。
【００２９】
不織布１は、長ねぎの定植範囲を取り巻くように設置される部材である。長ねぎの育成構造で用い設置した際には、立設部１Ａと水平部１Ｂ及び折りたたみ部１Ｃより構成されるが、部材としては長方形で長尺のカーペット状の形状である。不織布１を設置する際に、長ねぎ６の成長方向と平行に設置される立設部１Ａと、地面と接して長ねぎ６の生長方向に対して直角の位置関係となる水平部１Ｂが形成される。すなわち、立設部１Ａが地面と接した箇所で不織布１は垂直に折れ曲がり、地面と水平に接する水平部１Ｂを形成し、断面形状で言えばＬ字の形状になる。また、立設部１Ａには長ねぎの生長高にあわせて高さを調整する折りたたみ部１Ｃを適宜設置することができる。折りたたみ部１Ｃは立設部１Ａをヘアピンカーブ構造に折りたたむことで形成される。
【００３０】
不織布とは織らない布状のものをいい、繊維を一定方向またはランダムに集積して接着樹脂で化学的に結合させたり、機械的に絡ませたり、圧力をかけた水流で絡ませたり、熱融着繊維で結合させてつくられるものである。すなわち、繊維シート、ウェブまたはバットで、繊維が一方向またはランダムに配向しており、交流、および／または融着、および／または接着によって繊維間が結合されたものである。不織布はポーラス（多孔質）構造であることが特長で、通気性・ろ過性・保温性などの基本特性があり、また遮光性や防草性を有する。
【００３１】
本発明に用いられる不織布１にも同様な効果が期待できる。すなわち、不織布１の立設部１Ａに於いては、長ねぎの茎部を軟白にするための遮光性を有し、かつ不織布の取り巻く定植範囲の内部に熱や湿気がこもらない程度及び露地においては風を通す程度の通気性を有し、寒さに対しては保温性を有し、また透水性も有する。不織布１の水平部１Ｂに於いては、地面より雑草が生えない程度の防草性を有するため、長ねぎ栽培の際に必要な除草などの作業を極力行わないで長ねぎを栽培できる。さらに、不織布１は、折りたたみなどが容易なため、不織布１の折りたたみ部１Ｃを容易に形成でき、立設部１Ａの高さを容易に調整できる。
【００３２】
本発明に用いられる不織布１は、どのような不織布も利用可能であるが、とりわけ合成樹脂製の不織布が好適である。不織布に利用される合成樹脂としては、ポリエチレン、ポリプロピレンなどのオレフィン樹脂、ポリエチレンテレフタレート、ポリエステル、ナイロン、アクリル樹脂など様々なものがあるが、どれも適用可能である。合成樹脂製の不織布としては、ポリエチレンテレフタレートからなる東京インキ株式会社製の「ねぎパンツ」（商標登録出願中）や「トレップ」（登録商標）が挙げられる。
【００３３】
本発明に用いられる不織布１は、立設部１Ａ作成の際に自立させられる程度の硬さを有し、立設部１Ａと水平部１Ｂと折りたたみ部が形成できる程度の柔らかさを有する厚みと強度をもった不織布が好適である。また、軟白な長ねぎを生長させるためには長ねぎの茎部を遮光する必要があるため、遮光率の大きい不織布である必要がある。遮光率としては少なくとも９０％以上、さらに好ましくは９５％以上あるほうが好適である。遮光率を大きくするためには、不織布の厚みを厚くしたり、不織布を構成する糸を着色したりすることが好ましい。不織布の糸を着色するのにはカーボンブラックなどの顔料を樹脂に分散して紡糸した糸を用いることが好適である。
【００３４】
端杭２は、不織布１の立設部１Ａの形状を維持するための設置される部材であり、不織布１の立設部１Ａの重さを支持できる程度の強度が必要である。具体的には棒状の形状で、長さが１ｍ〜２ｍ程度のものが好適である。材質は、金属製、合成樹脂製、木製などあらゆるものが適用可能であるが、強度の面から金属製が最適である。金属製の棒材としては、ある程度の太さと強さと軽さを有する中空の単管パイプが好適である。
【００３５】
固定具５は、不織布１と端杭２を箝着させるために用いる部材であり、不織布１と端杭２をしっかり固定し、また不織布１の立設部１Ａの重さで外れない程度の強度を有するものが良い。材質は合成樹脂製でも金属製でもよい。本実施形態で図示した固定具は合成樹脂製の断面が円筒形で一部が欠けたものを例示したが、この場合は欠けた部分から不織布１を挟み込みながら端杭に箝着させるタイプの固定具である。
【００３６】
Ｕ字杭３は、長ねぎの定植範囲を取り巻くように設置された不織布１の相対する立設部１Ｃを挟み込みながら、不織布１の水平部１Ｂを貫き、水平部１Ｂを地面に固定させるための部材である。Ｕ字杭３は、文字通りＵ字を逆さにしたような形状をしており、成長後の長ねぎ６の最大高さと地面に打ち込んだ際の打ち込み深さの和よりも長い２本の棒（長尺棒部３Ａ、短尺棒部３Ｂ）と、相対する２本の棒を橋渡しする部分（橋渡し部３Ｃ）とで構成されている。橋渡しする部分（橋渡し部３Ｃ）は、長ねぎの不織布１の立設部１Ａに挟み込まれる定植範囲の幅よりも若干広めの幅につくられている。また、設置手間の観点から、２本の棒のうち１本が若干長めに設定すると好適である。２本のうちの１本が長いと、長い方の棒を最初に打ち込こんで位置決めを行い、その後短い方を打ち込むことが可能であるからである。すなわち、Ｕ字杭３は、金属製、合成樹脂製、木製などあらゆる材料が適用可能であるが、強度の観点から金属製が好適である。
【００３７】
補助杭４は、長ねぎの定植範囲を取り巻くように設置された不織布１の水平部１Ｂを固定するために設置する部材である。補助杭４は、地面に打ち込む長尺部分４Ａと、地面に不織布１の水平部１Ｂを固定するための返し部分４Ｂを有する頭部より構成される。補助杭４は、金属製、合成樹脂製、木製などあらゆる材料が適用可能であるが、強度の観点から金属製が好適である。また、補助杭４は図９のＡ図に示した形状の無孔補助杭４１（東京インキ株式会社製、「穴アケーズ」）を用いると、不織布１の水平部１Ｂに穴を開けることなく、不織布１の水平部１Ｂを固定することができる。無孔補助杭４１は、鉄筋を中心部分からＵ字に半分に折り曲げた後、折り曲げた鉄筋のＵ字部分を前記折曲げとは垂直方向より折り曲げた形状をした部材である。図９のＢ図には、無孔補助杭４１を用いた場合の使用例を示した。
【００３８】
以下、本発明の長ねぎの育成構造の設置方法について図２〜７を用いて説明する。図２は、本発明の長ねぎの育成構造を設置する前の長ねぎの定植範囲を示した図である。
【００３９】
図３は、定植した長ねぎ畑に端杭を設置する際の斜視図である。長ねぎの定植範囲のうち、不織布で囲まれる範囲の外側に不織布の外形を維持するために設置される。図３の例では、横列１本に対して縦列１８本を定植した長ねぎの定植範囲に本発明の長ねぎの育成構造を設置する例を示した。すなわち、横列１本に対して縦列１８本を定植したほぼ長方形の長ねぎの定植範囲の４つの頂点に端杭２を設置した例である。端杭２は、図３のように４つの頂点に設置しても良いし、４箇所以上設置してもよい。また図では示さないが、端杭２に不織布１を固定する際に使用する固定具５に金属製のバネを用い強力に固定可能な固定具を用い、端杭２も太さを４ｃｍ以上の鉄製パイプを用いた場合には、長方形の長ねぎの定植範囲の一端の固定箇所を２箇所から１箇所に減らすことも可能である。端杭４の設置箇所や設置本数で本発明の長ねぎの育成構造の外形が決まる。
【００４０】
図４は、定植した長ねぎ畑に不織布と固定具を設置する際の斜視図である。図５は、定植した長ねぎ畑に不織布と固定具を設置した後の斜視図である。図３のように端杭２を設置後、すべての端杭２を頂点として長ねぎの定植範囲を取り囲むように長方形で長尺のカーペット状の不織布１を設置する。その際、当該不織布１の上方部分は長ねぎ６の生長方向と平行に設置される立設部１Ａに、下方部分は地面と接して長ねぎ６の生長方向に対して直角の位置関係となる水平部１Ｂとなるように設置する。すなわち、立設部１Ａが地面と接した箇所で不織布１は垂直に折れ曲がり、地面と水平に接する水平部１Ｂを形成する、断面形状で言えばＬ字の形状になるように設置する。当該不織布１の立設部１Ａの端杭２に接する箇所において、固定具５を用いて不織布１と端杭２を箝着させる。箝着する箇所の数は端杭２が一本につき、１〜３箇所程度が好ましい。また、不織布１の水平部１Ｂは、適度に切り込み（切り込み部１Ｄ）を入れて長ねぎの定植範囲の形状に合うように整える。
【００４１】
図６は、定植した長ねぎ畑にＵ字杭と補助杭を設置する際の斜視図である。Ｕ字杭３を長ねぎの定植範囲を取り巻くように設置された不織布１の相対する立設部１Ｃを挟み込みながら、不織布１の水平部１Ｂを貫いて固定する。Ｕ字杭は１ｍ程度の感覚を設けて設置するのがよい。また、補助杭４を長ねぎの定植範囲を取り巻くように設置された不織布１の水平部１Ｂを縁取るように打ち込む。補助杭４は、不織布１の水平部１Ｂが風などでめくれ上がらないようにする機能を有し、多ければ多い方がよい。具体的には２０ｃｍ程度の間隔で打ち込まれるのがよい。
【００４２】
図７は、本発明の長ねぎの育成構造の完成形を示した斜視図である。本実施形態においては、細長い長方形の定植範囲の４つの頂点に端杭２を４本設置した。また、当該端杭２に不織布１を固定するために、各端杭２にそれぞれ１つずつの固定具５を用いて、端杭２と固定具５で不織布１を挟んで箝着した。また定植範囲の両端に位置する端杭２の間にＵ字杭３を設置して、不織布１の立設部１Ａの自立を補助した。さらに、端杭２の近傍に於いて、不織布１の水平部１Ｂは立設部１Ａの方向転換にあわせる形で、不織布の水平部１Ｂが地面から浮かないように、不織布１にはさみなどで切り込みを入れ、切り込み部１Ｄを設けた。
【００４３】
さらに、不織布１の立設部１Ａの地面近傍において、長ねぎの生長高にあわせて立設部１Ａの高さを調節するための遊びの部分として、折りたたみ部１Ｃを設けることができる。折りたたみ部１Ｃは立設部をヘアピンカーブ構造に折りたたむことで形成される。具体的には図８に図示される。
【００４４】
図８は、本発明の長ねぎの育成構造の折りたたみ部の機能を示した断面図である。図８のＡ図は、長ねぎが十分育っていないうちの不織布１の立設部１Ａの高さを低くしたい場合の例で、立設部１Ａを折りたたんで折りたたみ部１Ｃを作成して立設部１Ａの高さを調整した例である。また図８のＢ図は、Ａ図で示した長ねぎが十分育ったあとで立設部１Ａを最大高さまで引き伸ばした例であり、Ａ図に示した折りたたみ部１Ｃは不織布を引き上げることで消滅している。不織布１の折りたたみ部１Ｃは、図８のＡ図のように、地面に水平に敷設される不織布１の水平部１ＢがＵ字杭３の内側（長ねぎの定植範囲側）に延設され、鉛直方向に向きを変えて上方向（長ねぎの立つ方向）の立設部１Ａを形成する際、上方向に向かう不織布が一旦Ｕターンして下方向に向かいさらにＵターンして上方向に向かうといった、不織布が断面形状でヘアピンカーブ構造のように形成されている。このように長ねぎの生長にあわせて不織布１の立設部１Ａの高さを自由自在に調整できるため、長ねぎの葉部は常に日光を浴び、長ねぎの茎部は常に不織布により日光に遮られ、良質な軟白ねぎを栽培することが可能となる。
【実施例】
【００４５】
本発明の不織布１に東京インキ株式会社製の「ねぎパンツ」（旧商品名「トレップ」、東京インキ登録商標）を用いた例を示した。「ねぎパンツ」の物性及びその測定方法は表１に示した。不織布１に用いた「ねぎパンツ」の遮光率９９．５％のであり、不織布１に「ねぎパンツ」を用いて本発明の方法で栽培した長ねぎは、良好な軟白性を有する長ねぎに生長した。
【００４６】
【表１】
2020137450.tif 000003
【産業上の利用可能性】
【００４７】
本発明の長ねぎの育成構造及び長ねぎの育成構造の設置方法を利用することで、本発明により長ねぎの茎部の軟白化を長ねぎの成長に合わせてコントロールでき、かつ遮光材の内側の長ねぎのムレや高温化を抑制し、風による影響を受けにくい軟白ねぎの栽培方法及び栽培用部材を提供することができる。また、土寄せが不要なため長ねぎの定植列（畝に該当）の間隔を狭くすることができ、単位面積あたりの栽培本数を増やすことができ、収穫量を増やすことが出来る。
【符号の説明】
【００４８】
１    不織布
１Ａ  立設部
１Ｂ  水平部
１Ｃ  折りたたみ部
１Ｄ  切り込み部
２    端杭
３    Ｕ字杭
３Ａ  長尺棒部
３Ｂ  短尺棒部
３Ｃ  橋渡し部
４    補助杭
４Ａ  長尺部分
４Ｂ  返し部分
４１  無孔補助杭
５    固定具
６    長ねぎ
ａ    箝着方向
ｂ    Ｕ字杭の挿入方向
ｃ    補助杭の挿入方向
Ｘ    横列方向
Ｙ    縦列方向
【図１】
2020137450.tif 000004
【図２】
2020137450.tif 000005
【図３】
2020137450.tif 000006
【図４】
2020137450.tif 000007
【図５】
2020137450.tif 000008
【図６】
2020137450.tif 000009
【図７】
2020137450.tif 000010
【図８】
2020137450.tif 000011
【図９】
2020137450.tif 000012